(57)【要約】【課題】  、無断開封を防止可能な容器のキャップ取付け構造を提供することにある。【解決手段】  容器体口頸部４外面へ嵌合させた嵌合筒１０外面へキャップ本体３０を嵌合させる容器のキャップ取付け構造において、前記キャップ本体３０を上下にニ分割して上方筒部３１と下方筒部３２とに形成して、これら一対の筒部を破断可能な無断開封防止用のバージンシール３３で連結すると共に、前記キャップ本体頂壁３５から打抜き棒３６を垂下し、前記嵌合筒１０上面を上壁１８で閉塞させると共に、該上壁中央部に破断線１９を周設して、該破断線で囲まれた上壁部分を打抜き可能な除去板部２０に形成し、前記バージンシール除去後に前記キャップ本体をねじ込むことにより、前記打抜き棒３６が前記除去板部２０を打抜き可能に形成したことを特徴とする。【選択図】  図１
2008137694.tif 000002
【特許請求の範囲】
【請求項１】
容器体口頸部４外面へ嵌合させた嵌合筒１０外面へキャップ本体３０を嵌合させる容器のキャップ取付け構造において、
前記キャップ本体３０を上下にニ分割して上方筒部３１と下方筒部３２とに形成して、これら一対の筒部を破断可能な無断開封防止用のバージンシール３３で連結すると共に、前記キャップ本体頂壁３５から打抜き棒３６を垂下し、
前記嵌合筒１０上面を上壁１８で閉塞させると共に、該上壁中央部に破断線１９を周設して、該破断線で囲まれた上壁部分を打抜き可能な除去板部２０に形成し、
前記バージンシール除去後に前記キャップ本体をねじ込むことにより、前記打抜き棒３６が前記除去板部２０を打抜き可能に形成したことを特徴とする容器のキャップ取付け構造。
【請求項２】
前記容器体口頸部４の上部外面にねじ部５を形成すると共に、容器体口頸部の上下方向中間部外面に係合凹部６を設け、
前記嵌合筒１０の上下方向中間部に割溝１２を縦設して、該割溝下面から径内方向へ弾性変形自在な係合片１３を起立させると共に、該係合片に前記キャップ本体３０に係合可能な係合面１４を設け、
前記係合片１３を、前記嵌合筒１０の所定量のねじ込みで前記容器体口頸部４の係合凹部６へ係合可能な位置に設け、
前記キャップ本体３０の前記嵌合筒１０への嵌合で、前記キャップ本体が前記係合面１４へ係合して前記係合片１３を径内方向へ弾性変形させることで前記係合片１３を前記係合凹部６へ係合可能に設けたことを特徴とする請求項１記載の容器のキャップ取付け構造。
【請求項３】
前記容器体１は周壁２上端から肩部３を介して口頸部４を起立すると共に、該肩部外周を小外径部８に形成し、
前記キャップ本体下部を外向きフランジ３８を介して大外径部３９に形成し、該大外径部下部を前記肩部３外周の小外径部８へ嵌合させたことを特徴とする請求項１又は２記載の容器のキャップ取付け構造。
【請求項４】
前記嵌合筒１０下部を内外二重周壁１６で形成すると共に、前記キャップ本体３０の大外径部３９を前記二重周壁１６の外周壁１６ｂ外面へ嵌合させたことを特徴とする請求項１、２又は３のいずれか１つに記載の容器のキャップ取付け構造。
【発明の詳細な説明】
【技術分野】
【０００１】
本発明は、容器体の口頸部に取り付けるキャップの取付け構造に関する。
【背景技術】
【０００２】
この種の容器の内には、嵌合筒の上面を閉塞する上壁中央部に破断線を周設して、破断線で囲まれた上壁部分を打抜き部に形成すると共に、キャップ頂壁から打抜き部を打抜くための打抜き棒を垂下したものがある。また、キャップの取付け構造として、容器の口頸部外面へ嵌合筒を嵌合させ、この嵌合筒にキャップを螺合させるようにしたものがある。
【発明の開示】
【発明が解決しようとする課題】
【０００３】
上記従来例において、嵌合筒に打抜き部を、キャップに打抜き棒を、それぞれ設けたものでは、単にキャップをねじ込むことにより打抜き棒が下降して打抜き部が打ち抜かれるようになっているため、流通時における無断開封が防止し得なかった。
【０００４】
また、容器の口頸部外面へ嵌合させるキャップ螺合用嵌合筒は、通常、その上部内面に口頸部上部の雄ネジに螺合可能な雌ネジが形成され、かつ、下部は口頸部下部外面へ嵌合可能な筒部に形成されており、嵌合筒の雌ネジを口頸部の雄ネジにねじ込むと、嵌合筒下部は口頸部下部へ嵌合されるようになっているが、嵌合筒は拡開し難い材質で成形されているため、そのままでは嵌合筒下部の口頸部下部への嵌合が円滑にいかないことから、拡開を容易にすべく嵌合筒下部の一部を薄肉にしている。しかし、嵌合筒の下部内面には、キャップ螺合時における供回りを防止すべく、口頸部に形成された凹部に嵌合可能な回り止め突部を設けるため、嵌合筒下部に薄肉部を設けても拡開効果が減殺されるという問題があった。
【０００５】
さらに、キャップ下端と容器の肩部上面との間には間隔が形成されているため、この間隔から浸入した水が嵌合筒と口頸部との隙間および嵌合筒上壁と口頸部上端との隙間を通って容器内へ浸入するおそれがあると共に、キャップと容器の肩部との間に間隔が形成されるため、外観上好ましくなかった。
【０００６】
本発明の主たる目的は、無断開封を防止可能な容器のキャップ取付け構造を提供することにある。
【０００７】
本発明の他の目的は、容器体に対する嵌合筒の嵌合が容易な容器のキャップ取付け構造を提供することにある。
【０００８】
本発明のさらなる他の目的は、容器体内への水の浸入を防止し得ると共に、キャップ本体と容器体との間に間隙が発生しない容器のキャップ取付け構造を提供することにある。
【課題を解決するための手段】
【０００９】
本発明は、容器体口頸部４外面へ嵌合させた嵌合筒１０外面へキャップ本体３０を嵌合させる容器のキャップ取付け構造において、
前記キャップ本体３０を上下にニ分割して上方筒部３１と下方筒部３２とに形成して、これら一対の筒部を破断可能な無断開封防止用のバージンシール３３で連結すると共に、前記キャップ本体頂壁３５から打抜き棒３６を垂下し、
前記嵌合筒１０上面を上壁１８で閉塞させると共に、該上壁中央部に破断線１９を周設して、該破断線で囲まれた上壁部分を打抜き可能な除去板部２０に形成し、
前記バージンシール除去後に前記キャップ本体をねじ込むことにより、前記打抜き棒３６が前記除去板部２０を打抜き可能に形成したことを特徴とする。
【００１０】
また、本発明は、前記容器体口頸部４の上部外面にねじ部５を形成すると共に、容器体口頸部の上下方向中間部外面に係合凹部６を設け、
前記嵌合筒１０の上下方向中間部に割溝１２を縦設して、該割溝下面から径内方向へ弾性変形自在な係合片１３を起立させると共に、該係合片に前記キャップ本体３０に係合可能な係合面１４を設け、
前記係合片１３を、前記嵌合筒１０の所定量のねじ込みで前記容器体口頸部４の係合凹部６へ係合可能な位置に設け、
前記キャップ本体３０の前記嵌合筒１０への嵌合で、前記キャップ本体が前記係合面１４へ係合して前記係合片１３を径内方向へ弾性変形させることで前記係合片１３を前記係合凹部６へ係合可能に設けたことを特徴とする。
【００１１】
さらに、本発明は、前記容器体１は周壁２上端から肩部３を介して口頸部４を起立すると共に、該肩部外周を小外径部８に形成し、
前記キャップ本体下部を外向きフランジ３８を介して大外径部３９に形成し、該大外径部下部を前記肩部３外周の小外径部８へ嵌合させたことを特徴とする。
【００１２】
さらに、本発明は、前記嵌合筒１０下部を内外二重周壁１６で形成すると共に、前記キャップ本体３０の大外径部３９を前記二重周壁１６の外周壁１６ｂ外面へ嵌合させたことを特徴とする。
【発明の効果】
【００１３】
本発明は、打抜き開封式の容器において、キャップ本体を上方筒部３１と下方筒部３２とにニ分割して、これらをバージンシール３３で連結したので、無断開封防止が可能になる。
【００１４】
また、本発明は、嵌合筒１０に割溝１２を形成したので、容器体口頸部４へ嵌合筒１０を嵌合させる際に嵌合筒が容易に拡径されると共に、係合片１３は嵌合筒１０の嵌合時においては割溝１２内に位置しているため、嵌合筒の嵌合が容易に行える。また、キャップ本体３０を嵌合筒１０へ嵌合させると、同時に係合片１３が係合凹部６内へ嵌合可能であるから、嵌合筒１０とキャップ本体３０との容器体口頸部への全体としての取付けが容易である。
【００１５】
さらに、本発明は、キャップ本体３０下部を大外径にして、容器体の肩部８へ係合させたので、キャップ本体が強固に保持されると共に、キャップ本体と容器体との間に間隙が発生しないため、容器体内への水の浸入が防止されることになる。
【発明を実施するための最良の形態】
【００１６】
以下、図面に示す実施の形態を参照しながら本発明を説明する。
【００１７】
図１において、１は容器体で、周壁２上端から肩部３を介して口頸部４を起立している。口頸部４の上部外面には雄ネジ５が形成されている。口頸部４の上下方向中間部は口頸部の上部および下部よりも厚肉にされていて、この厚肉部に上下方向への係合凹部６が容器の軸線を対称にして一対設けられている。
【００１８】
これら係合凹部６の下面は底壁７で閉塞されている。また、容器体肩部３の外周は小外径部８に形成されていて、この小外径部とこれより下方の周壁部分との境界には上向き段部９が形成されている。
【００１９】
１０は嵌合筒で、嵌合筒上部内面には雌ネジ１１ａが、また、外面には雄ネジ１１ｂが、それぞれ形成されており、この雌ネジ１１ａは容器体口頸部４の雄ネジ５に螺合されている。嵌合筒１０の上下方向中間部には割溝１２が形成されている。
【００２０】
割溝１２下面からは係合片１３が起立している。図３に示すように、該係合片の上部外面は割溝１２外方へ突出していて、該突出部の上面は下斜め外方へ傾斜する係合面１４に形成されている。また、係合片１３の上下方向中間部外面には切欠部１５が形成されていると共に、上下方向中間部内面はく字状に切除されて、切欠部１５と共に係合片１３の変形を可能としている。
【００２１】
嵌合筒１０の下部は溝部１２が形成された周壁部分下端から垂下する内外二重周壁１６に形成されている。すなわち、溝部１２が形成された周壁部分下端から内周壁１６ａを垂下し、該内周壁下端から外向きフランジを介して外周壁１６ｂを起立している。なお、内周壁１６ａ外面には周方向に所定の間隔をおいて複数の係合溝１７が縦設されている。
【００２２】
嵌合筒１０の上面は上壁１８で閉塞されている。該上壁１８の中央部には破断線１９が周設されていて、破断線１９で囲まれた上壁１８部分は打抜き可能な除去板部２０に形成されている。除去板部２０より外方の上壁１８部分の上面からは起立筒２１が立設され、また、下面からは垂下筒２２が垂設されており、垂下筒２２は容器体口頸部４上端部内面へ嵌合されている。
【００２３】
３０はキャップ本体で、上下にニ分割されて上方筒部３１と下方筒部３２とに形成されており、これら一対の筒部は破断可能な破断片３３ａを介して無断開封防止用のバージンシール３３で連結されている。上方筒部３１内面には雌ネジ３４が形成されていて、該雌ネジ下部は嵌合筒１０外面の雄ネジ１１ｂに螺合されている。
【００２４】
上方筒部３１上面を閉塞する頂壁３５下面中央からは打抜き棒３６が垂下され、また、打抜き棒外周の頂壁３５部分からは短筒３７が垂下され、さらに、該短筒より外周の頂壁３５部分からは係合爪３７ａが垂下されている。
【００２５】
一方、下方筒部３２はバージンシール３３に破断片３３ａを介して連結された下斜め外方へ傾斜する外向きフランジ３８外周から垂下筒３９を垂下して、該垂下筒上部を外周壁１６ｂ外面へ嵌合させ、さらに、垂下筒３９下部は容器体肩部３外周の小外径部８に嵌合され、かつ、垂下筒下端は上向き段部９に載置されている。
【００２６】
なお、外向きフランジ３８の内周下面からは複数の係合爪４０が周方向に所定の間隔をおいて垂下されていて、該係合片は係合溝１７に係合されている。
【００２７】
次に作用について説明する。
【００２８】
嵌合筒１０の係合片１３は、容器体口頸部４へ組付ける前は、図３に示すように、割溝１２内に位置している。この嵌合筒１０を容器体口頸部４外面へ嵌合させて所定量ねじ込むと、係合片１３は係合凹部６の前面に位置する。
【００２９】
こうして嵌合筒１０を容器体口頸部４へ嵌合させた後、キャップ本体３０を嵌合筒１０外面へ嵌合させると、係合爪４０が係合片１３の係合面１４へ係合して、係合片１３を内方へ弾性変形(図３の二点鎖線参照)させて係合凹部６内へ係合させる。このとき同時に係合片１３下端は係合凹部下面７へ係合する。
【００３０】
さらにキャップ本体３０を押し込むと、垂下筒３９上部が嵌合筒１下部の外周壁１６ｂへ嵌合すると共に、垂下筒下部が容器体周壁肩部の小外径部８に嵌合し、かつ、垂下筒下端が上向き段部９に当接する。
【００３１】
開封するには、まずバージンシール３３の端部を持って周方向へ引っ張ることにより、バージンシールをキャップ本体３０から除去した後(図２参照)、キャップ本体の上方筒部３１をねじ込めばよく、すると打抜き棒３６が下降して、嵌合筒１０の除去板部２０を打抜くと共に、起立筒２１が短筒３７外面へ嵌合し、かつ、係合爪３７ａが起立筒２１外面へ係合する。なお、係合片１３が容器体口頸部の係合凹部６へ係合しているので、下方筒部３２の回動は防止される。
【図面の簡単な説明】
【００３２】
【図１】本発明に係る容器のキャップ取付け構造の半断面図で、バージルシールを除去する前の状態を示すものである。
【図２】バージンシール除去後の状態を示す半断面図である。
【図３】係合片の一部の側断面図である。
【符号の説明】
【００３３】
１  容器体
２  周壁
３  肩部
４  口頸部
５  口頸部の雄ネジ
６  係合凹部
８  小外径部
９  上向き段部
１０  嵌合筒
１２  割溝
１３  係合片
１４  係合面
１５  切欠部
１６  内外二重周壁
１６ｂ  外周壁
１８  上壁
１９  破断線
２０  除去板部
３１  上方筒部
３２  下方筒部
３３ａ  破断片３
３３  バージンシール
３５  頂壁
３６  打抜き棒
３８  外向きフランジ
３９  垂下筒(大外径部)
【図１】
2008137694.tif 000003
【図２】
2008137694.tif 000004
【図３】
2008137694.tif 000005